(57)【要約】【課題】パトランプのような回転発光演出を疑似的に行うことができる小型の電飾装置を備える遊技機を提供する。【解決手段】第１電飾装置５００は、円形状に並んで配設された複数のＬＥＤ５１１ａ〜５１１ｈ（発光ダイオード）と、ＬＥＤ５１１ａ〜５１１ｈのそれぞれから射出された光を前方に反射させるインナーレンズ５３０とを備え、ＬＥＤ５１１ａ〜５１１ｈを円周方向に順番に発光させてインナーレンズ５３０によって反射された光により疑似回転発光するように構成される。【選択図】図１２
2018050998.tif 000002
【特許請求の範囲】
【請求項１】
遊技展開に応じて発光する電飾装置を備える遊技機において、
前記電飾装置は、
円形状に並んで配設された複数の発光素子と、
前記複数の発光素子のそれぞれから射出された光を所定方向に反射させる反射部材とを備え、
前記複数の発光素子を円周方向に順番に発光させて前記反射部材によって反射された光により疑似回転発光するように構成されたことを特徴とする遊技機。
【請求項２】
前記複数の発光素子は、２つの同心円状に並んで配設されて構成されたことを特徴とする請求項１に記載の遊技機。
【発明の詳細な説明】
【技術分野】
【０００１】
本発明は、ぱちんこ遊技機等の遊技機に関する。
【背景技術】
【０００２】
ぱちんこ遊技機には、遊技領域を構成する遊技盤のほぼ中央にセンター飾りを配置し、このセンター飾りに、液晶ディプレイ等の演出表示装置や、可動物を作動させて遊技演出を行う演出可動装置や、文字や模様等の図柄を発光表示させる電飾装置などが配設されたものが知られている（例えば、特許文献１を参照）。このようなぱちんこ遊技機は、遊技領域内に設けられた始動入賞口に遊技球が入球したことを契機として抽選を行い、その抽選結果が当りであった場合に、演出表示装置において複数の図柄（装飾図柄）を変動させた後に予め設定された当たり図柄を停止表示させ、特別遊技状態（大当り）を成立させるように構成されている。特別遊技状態においては、遊技領域内に設けられた大入賞装置の大入賞口を開放して遊技球の入球を容易にし、この大入賞口への遊技球の入球により遊技者が大量の賞球を獲得できるようになっている。
【先行技術文献】
【特許文献】
【０００３】
【特許文献１】特開２０１６‐４１３２８号公報
【発明の概要】
【発明が解決しようとする課題】
【０００４】
遊技機に設けられる電飾装置の一例として、光源の周りにおいて反射鏡を回転させることにより回転発光するパトランプ型の電飾装置がある。このようなパトランプ型の電飾装置では、反射鏡を回転させるための電動モータや、回転位置を制御するための位置センサ等が必要であるため装置が大型化するという問題があった。
【０００５】
本発明は、このような課題に鑑みてなされたものであり、パトランプのような回転発光を行うことができる小型の電飾装置を備える遊技機を提供することを目的とする。
【課題を解決するための手段】
【０００６】
このような目的達成のため、本発明は、遊技展開に応じて発光する電飾装置を備える遊技機において、前記電飾装置は、円形状に並んで配設された複数の発光素子と、前記複数の発光素子のそれぞれから射出された光を所定方向に反射させる反射部材とを備え、前記複数の発光素子を円周方向に順番に発光させて前記反射部材によって反射された光により疑似的に回転発光するように構成される。
【発明の効果】
【０００７】
本発明によれば、パトランプのような回転発光演出を疑似的に行うことができるとともに、従来のパトランプ型の電飾装置よりも電飾装置を小型化させることができる。
【図面の簡単な説明】
【０００８】
【図１】ぱちんこ遊技機の正面図である。
【図２】ぱちんこ遊技機の背面図である。
【図３】前枠の正面図である。
【図４】遊技盤の正面図である。
【図５】演出可動装置および第１電飾装置の正面図である。
【図６】演出可動装置および第１電飾装置を斜め下方から見た斜視図である。
【図７】演出可動装置および第１電飾装置を斜め前方から見た分解斜視図である。
【図８】演出可動装置および第１電飾装置を斜め後方から見た分解斜視図である。
【図９】演出可動装置の第１および第２可動部材を示す図であり、（ａ）は正面図、（ｂ）は斜め後方から見た斜視図である。
【図１０】第１電飾装置を示す図であり、（ａ）は正面図、（ｂ）は背面図である。
【図１１】第１電飾装置を示す図であり、（ａ）は斜め前方から見た斜視図、（ｂ）は斜め後方から見た斜視図である。
【図１２】第１電飾装置を斜め前方から見た分解斜視図である。
【図１３】第１電飾装置のインナーレンズを示す図であり、（ａ）は斜め上方から見た斜視図、（ｂ）は斜め下方から見た斜視図、（ｃ）は断面図である。
【図１４】図４における矢印XIV‐XIVで示す部分の断面図である。
【図１５】図１４における丸Ａで示す部分の拡大図である。
【図１６】第２電飾装置を斜め前方から見た分解斜視図である。
【図１７】第２電飾装置を斜め後方から見た分解斜視図である。
【図１８】第１電飾装置のインナーレンズの第１変形例を示す図であり、（ａ）は斜め上方から見た斜視図、（ｂ）は斜め下方から見た斜視図、（ｃ）は断面図である。
【図１９】第１電飾装置のインナーレンズの第２変形例を示す図であり、（ａ）は斜め上方から見た斜視図、（ｂ）は斜め下方から見た斜視図、（ｃ）は断面図である。
【発明を実施するための形態】
【０００９】
以下、本発明の好ましい実施形態について図面を参照して説明する。本発明に係る遊技機の代表例として、ぱちんこ遊技機ＰＭの正面図および背面図を図１および図２に示している。まず、これらの図を参照してぱちんこ遊技機ＰＭの全体構成について説明する。
【００１０】
［ぱちんこ遊技機の全体構成］
ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉および着脱が可能に取り付けられ、正面右側縁部に設けられたダブル錠と称される施錠装置４を利用して常には外枠１と係合連結された閉鎖状態に保持される。
【００１１】
前枠２の前面側には、前枠２の上部前面域に合わせた方形状のガラス扉５および球皿ユニット６が正面左側部に設けられたヒンジ機構７ａ，７ｂ，７ｃを利用して横開き開閉および着脱可能に組み付けられ、施錠装置４を利用して常には前枠２の前面を覆う閉鎖状態に保持される。ガラス扉５の背後に位置する前枠２の上部には、遊技盤１００を着脱可能に収容する方形枠状の収容枠２ａ（図３を参照）が設けられる。この収容枠２ａに所定のゲージ設定で構成された遊技盤１００が着脱可能にセット保持され、常には閉鎖保持されるガラス扉５を通して遊技盤１００の正面の遊技領域ＰＡを臨ませるようになっている。
【００１２】
ガラス扉５の前面上部には、発光ダイオード（ＬＥＤ）やランプ等の電飾装置８や、遊技の展開状態に応じて効果音を発生させるスピーカ９等が設けられている。球皿ユニット６は、遊技球を貯留可能な上下の球皿（上球皿６ａおよび下球皿６ｂ）を有して構成され、球皿ユニット６の前面右側には、遊技球の発射操作を行う発射ハンドル１０が設けられている。
【００１３】
図３に示すように、前枠２の前面下部には、球皿ユニット６の背後に位置して遊技盤１０と上下に整合し得る遊技補助盤２０が形成される。遊技補助盤２０の各部には、上球皿６ａに貯留された遊技球を遊技盤１００へ向けて連続的に打ち出すことが可能な発射機構２１、上球皿６ａに繋がる賞球連絡通路２２、下球皿６ｂに繋がる溢れ球通路２３、遊技領域ＰＡに到達できずに戻ってくる遊技球（すなわちファール球）を回収する遊技球回収
機構２４等が設けられている。
【００１４】
前枠２の背面側には、図２に示すように、外枠１の内寸サイズよりも幾分小さめの矩形枠状に形成された裏セット盤３０が着脱可能に取り付けられている。裏セット盤３０は、遊技盤１００の背後に位置する上部領域に、前後連通して開口する大型の窓口開口３０ａを有する枠状に形成される。裏セット盤３０の各部には、多数個の遊技球を貯留する球貯留タンク３１、球貯留タンク３１の左側に繋がって延びるタンクレール３２、タンクレール３２により導かれた遊技球を払い出す賞球払出ユニット３３、賞球払出ユニット３３から払い出された遊技球を上球皿６ａに導くための賞球通路部材３４等が設けられている。
【００１５】
遊技盤１００の背面側には、ぱちんこ遊技機ＰＭの作動を統括的に制御する主制御基板等からなる主制御装置１０００や、遊技展開に応じた画像表示、効果照明、効果音等の演出全般の制御を行う演出制御基板等からなる副制御装置２０００が取り付けられている。裏セット盤３０の背面側には、遊技球の発射および払い出しに関する制御を行う払出制御基板等からなる払出制御装置３０００や、遊技施設側から受電して各種制御装置や電気・電子部品に電力を供給する電源供給ユニット３５００が取り付けられている。これらの制御装置とぱちんこ遊技機ＰＭ各部の電気・電子部品とがワイヤーハーネスで接続されて、ぱちんこ遊技機ＰＭが作動可能に構成されている。
【００１６】
ぱちんこ遊技機ＰＭは、外枠１が遊技施設の遊技島（設置枠台）に固定設置され、前枠２、ガラス扉５、球皿ユニット６等が閉鎖施錠された状態で遊技に供され、球皿ユニット６の上球皿６ａに遊技球を貯留させて発射ハンドル１０を回動操作することにより遊技が開始される。発射ハンドル１０が回動操作されると、上球皿６ａに貯留された遊技球が、球皿ユニット６の背面側に配設される球送り機構によって１球ずつ連続的に発射機構２１に送り出され、発射機構２１のハンマー２１ａにより遊技領域ＰＡに打ち出されてパチンコゲームが展開される。
【００１７】
［遊技盤の構成］
次に、本実施形態に係る遊技盤１００の構成について図４〜図１７を参照して説明する。遊技盤１００は、図４に示すように、平板状のベース部材１０１と、ベース部材１０１の前面側に取り付けられた左右の内レール部材１０６，１０７および外レール部材１０８とを有し、ベース部材１０１における左右の内レール部材１０６，１０７と外レール部材１０８とに囲まれた部分に遊技領域ＰＡが形成される。この遊技領域ＰＡには、多数の遊技釘（図示せず）とともに、遊技領域ＰＡの中央部近傍に配設されたセンター飾りユニット２００と、遊技領域ＰＡの下部左側に配設された複数の一般入賞装置１１０，１１０，…と、遊技領域ＰＡの下部中央に配設された第１始動入賞装置１２０と、センター飾りユニット２００の右方に配設された第２始動入賞装置１３０と、遊技領域ＰＡの下部右側に配設された大入賞装置１４０と、第２始動入賞装置１３０の上方に配設された補助遊技始動ゲート１５０と、遊技領域ＰＡの下端部中央に配設されたアウト口１０９とが設けられている。
【００１８】
ベース部材１０１は、透明の樹脂材料やベニヤ板を用いて平板状に形成される。ベース部材１０１の略中央部にはセンター飾り取付穴１０２が形成され、このセンター飾り取付穴１０２にセンター飾りユニット２００が取り付けられる。ベース部材１０１の下端部中央には、ベース部材１０１を前後に貫通したアウト口１０９が形成されている。
【００１９】
一般入賞装置１１０は、上方に開口して遊技球が流入可能な一般入賞口１１１を有し、一般入賞口１１１から流入した遊技球をベース部材１０１の後面側に排出させるように構成される。一般入賞装置１１０には、一般入賞口１１１から流入した遊技球を検出する一般入賞センサが設けられており、この一般入賞センサの検出信号は主制御装置１０００に
送信される。第１始動入賞装置１２０は、上方に開口して遊技球が流入可能な第１始動入賞口１１２を有し、第１始動入賞口１２１から流入した遊技球をベース部材１０１の後面側に排出させるように構成される。第１始動入賞装置１２０には、第１始動入賞口１２１から流入した遊技球を検出する第１始動入賞センサが設けられており、この第１始動入賞センサの検出信号は主制御装置１０００に送信される。補助遊技始動ゲート１５０は、上方に開口した開口部から流入した遊技球を補助遊技始動ゲート１５０の下方へ通過させるように構成される。補助遊技始動ゲート１５０には、補助遊技始動ゲート１５０を通過した遊技球を検出するゲートセンサが設けられており、このゲートセンサの検出信号は主制御装置１０００に送信される。
【００２０】
第２始動入賞装置１３０は、右方に開口して遊技球が流入可能な第２始動入賞口１３１と、第２始動入賞口１３１を開閉可能な始動入賞口開閉部材１３２とを有し、第２始動入賞口１３１から流入した遊技球をベース部材１０１の後面側に排出させるように構成される。始動入賞口開閉部材１３２は、羽根状に形成され、不図示の揺動駆動機構により上方に向いた状態と右方に向いた状態との間で揺動可能に構成される。始動入賞口開閉部材１３２は、所定の遊技状態のときに、右方に揺動して第２始動入賞口１３１を開放させ、上方から流下してくる遊技球を受け止めて第２始動入賞口１３１に導いて入球させる。一方、通常時においては、始動入賞口開閉部材１３２が上方に揺動して第２始動入賞口１３１を閉鎖させ、遊技球を第２始動入賞口１３１に流入させないように構成されている。第２始動入賞装置１３０には、第２始動入賞口１３１から流入した遊技球を検出する第２始動入賞センサが設けられており、この第２始動入賞センサの検出信号は主制御装置１０００に送信される。
【００２１】
大入賞装置１４０は、上方に開口して遊技球が流入可能な大入賞口１４１と、大入賞口１４１を開閉可能な大入賞口開閉部材１４２とを有し、大入賞口１４１から流入した遊技球をベース部材１０１の後面側に排出させるように構成される。大入賞口開閉部材１４２は、左右方向に延びる平板状に形成され、不図示の開閉駆動機構により前後方向（遊技盤１００の盤面に直交する方向）にスライド移動可能に構成される。大入賞口開閉部材１４２は、所定の遊技状態のときに、後方にスライド移動して大入賞口１４１を開放させ、上方から流下してくる遊技球を大入賞口１４１に流入可能な状態にする。一方、通常時においては、大入賞口開閉部材１４２が前方にスライド移動して大入賞口１４１を閉鎖させ、遊技球を大入賞口１４１に流入させないように構成されている。大入賞装置１４０には、大入賞口１４１から流入した遊技球を検出する大入賞センサが設けられており、この大入賞センサの検出信号は主制御装置１０００に送信される。
【００２２】
センター飾りユニット２００は、遊技盤１００のセンター飾り取付穴１０２に対応した枠状のフレーム部材２０１を有し、フレーム部材２０１の内側に各種の装置や装飾部材が配設されて構成される。フレーム部材２０１は透明な樹脂材料を用いて形成されている。センター飾りユニット２００（フレーム部材２０１）の上部には、遊技展開に応じて可動や発光により遊技演出を行う複数の遊技演出装置が配設されている。これらの遊技演出装置については後段にて詳細に説明する。センター飾りユニット２００の下部にはステージ部２０５が設けられており、このステージ部２０５と遊技領域ＰＡとを繋ぐワープ通路２０６がセンター飾りユニット２００の下部左側に形成されている。ステージ部２０５は、左右に延びるとともに前方に傾斜するように形成されており、ワープ通路２０６を通って遊技領域ＰＡからステージ部２０５に導かれた遊技球がステージ部２０５上を左右に転動したのち、前方に落下するように構成されている。ステージ部２０５の中央部には、ステージ部２０５の中央部から前方に落下した遊技球を第１始動入賞装置１２０の第１始動入賞口１２１に導くガイド穴２０７が形成されている。
【００２３】
センター飾りユニット２００におけるステージ部２０５の上方には、図柄表示装置２１
０および保留ランプ２１５が設けられている。図柄表示装置２１０は、７セグメントＬＥＤによって構成され、例えば「１」〜「４」、「９」、「０」の６種類の数字および「−」によって特別図柄を変動表示するように構成される。特別図柄は、始動入賞装置１２０への遊技球の入球を契機に、主制御装置１０００において行われる当否抽選の結果に対応した図柄であり、その変動表示が所定の当たり態様にて停止して表示されたときに特別遊技としての大当たりが発生するようになっている。
【００２４】
遊技盤１００（ベース部材１０１）の後面側にはリールユニット３００が設けられており、センター飾りユニット２００の中央開口部を通してリールユニット３００を前方から視認可能に構成されている。リールユニット３００は、３個のリール３０１，３０２，３０３と、これらのリール３０１〜３０３をそれぞれ回転させる３個のステッピングモータ等からなる回転駆動機構とを有して構成される。リール３０１〜３０３はそれぞれ、透光性を有する部材により構成されており、その外周面には、複数種類の図柄が表示された、透光性を有するリールテープが貼り付けられている。リール３０１〜３０３の内側にはそれぞれバックランプが配設されている。これらのバックランプを点灯させることにより、センター飾りユニット２００の中央開口部を通して視認可能な各リール３０１〜３０３の領域を内側から発光表示させたり、各リール３０１〜３０３上の停止表示された所定の図柄組合せを目立たせるように各リール３０１〜３０３の一部領域のみを発光表示させたりするように構成されている。
【００２５】
上述したように、センター飾りユニット２００の上部には、遊技展開に応じて可動や発光により遊技演出を行う複数の遊技演出装置が配設されており、これらの遊技演出装置について以下に説明する。これらの遊技演出装置として、人形のフィギュアを発光させるとともに拳銃形の可動物を作動させる演出可動装置４００と、パトランプのような回転発光演出を行う第１電飾装置５００と、ハート形や星形の装飾部を発光させる第２電飾装置６００とが設けられている。
【００２６】
演出可動装置４００は、図５〜図９に示すように、メインベース部材４０１と、このメインベース部材４０１に取り付けられる第１発光演出部４１０、第２発光演出部４２０および可動演出部４３０とを有して構成される。第１発光演出部４１０は、図７および図８に示すように、メインベース部材４０１の前面右部に取り付けられる取付ベース４１１と、取付ベース４１１の前面に固定される第１電飾基板４１２と、第１電飾基板４１２を前方から覆うように取付ベース４１１に取り付けられる第１装飾カバー４１５とを有して構成される。第１装飾カバー４１５の前面には人形のフィギュアが形成され、そのフィギュアの頭部は透光可能に構成されている。そのフィギュアの頭部の後方に第１電飾基板４１２が配置されている。第１電飾基板４１２の前面には複数のＬＥＤ４１３（発光ダイオード）が実装されており、これらのＬＥＤ４１３から前方に射出される光により第１装飾カバー４１５におけるフィギュアの頭部を発光表示させるように構成されている。
【００２７】
第２発光演出部４２０は、メインベース部材４０１の前面中央部に固定される第２電飾基板４２１と、第２電飾基板４２１の前方に配置されるインナーレンズ４２４と、インナーレンズ４２４および第２電飾基板４２１を前方から覆うようにメインベース部材４０１に取り付けられる第２装飾カバー４２５とを有して構成される。第２装飾カバー４２５の前面には十字架等の図柄が形成され、それらの図柄等は透光可能に構成されている。第２電飾基板４２１の前面には複数のＬＥＤ４２２が実装されている。インナーレンズ４２４は、透明もしくは半透明な樹脂材料（光透過材料）を用いて略平板状に形成され、その前後面に、透過光を上下左右方向に拡散させるレンズ面および光を通過させる複数の貫通孔が形成されている。第２発光演出部４２０は、第２電飾基板４２１の複数のＬＥＤ４２２から射出される光がインナーレンズ４２４を通って拡散もしくはそのまま通過し、それらの光により第２装飾カバー４２５に形成された十字架等の図柄を発光表示させるように構
成されている。
【００２８】
可動演出部４３０は、前後に延びる回動軸４３１を中心にメインベース部材４０１に回動自在に設けられる第１可動部材４３２と、第１可動部材４３２を回動させる回動機構４３５とを有して構成される。第１可動部材４３２は、拳銃を模した外形形状（略円柱形状もしくは略矩形状）に形成され、基端側に設けられた回動軸４３１から左斜め上方に延びるように設けられている。第１可動部材４３２の基端部には、左右に延びる長穴４３３が前後に貫通して形成されている。
【００２９】
回動機構４３５は、メインベース部材４０１に取り付けられる電動モータ４３６と、電動モータ４３６の駆動軸に固定される第１ギア４３７と、メインベース部材４０１に回転自在に設けられて第１ギア４３７と噛合する第２ギア４３８と、メインベース部材４０１に取り付けられるセンサ基板４３９とを有して構成される。第２ギア４３８には前方に延びる係合軸４３８ａが設けられ、この係合軸４３８ａが第１可動部材４３２の長穴４３３に挿入されて係合するようになっている。電動モータ４３６により第１ギア４３７を介して第２ギア４３８が正回転および逆回転されると、第２ギア４３８の係合軸４３８ａが第１可動部材４３２の長穴４３３内を左右に移動することにより、第１可動部材４３２が回動軸４３１を中心に回動して、第１可動部材４３２の先端部が上下方向に移動するように構成されている。センサ基板４３９には、第１可動部材４３２の回動位置を検出する回動検出センサ４３９ａが実装されている。
【００３０】
第１可動部材４３２の回動軸４３１は、正面視において、第１発光演出部４１０の第１装飾カバー４１５の後方位置に配置されている（図５を参照）。また、第１装飾カバー４１５は、第１可動部材４３２の基端部よりも前方位置に配置されている（図６を参照）。そのため、第１可動部材４３２が回動軸４３１を中心に回動したときに、第１可動部材４３２の基端部が第１装飾カバー４１５と干渉せずに第１装飾カバー４１５内に入り込んだ状態となるようになっている。これにより、第１装飾カバー４１５に形成された人形のフィギュアが、拳銃形の第１可動部材４３２を持った状態で第１可動部材４３２を上下に揺動させているように作動させることができるようになっている。第１可動部材４３２の基端部には、第１装飾カバー４１５の人形の腕部を模した装飾が施されており、回動軸４３１を第１可動部材４３２の中心軸Ａ（図９（ａ）を参照）から上方にオフセットした位置に配置することにより、第１可動部材４３２の上下動作に伴う円弧動作により、前述の腕部を模した装飾の動作軌道が人形の同じ位置となるようになっている。
【００３１】
また、可動演出部４３０は、第１可動部材４３２の先端部に設けられる第２可動部材４４１と、第２可動部材４４１を第１可動部材４３２に対してスライド移動させるスライド移動機構４４５とを有して構成される。第２可動部材４４１は、コウモリの羽を模した外形形状に形成され、第１可動部材４３２に対してスライド移動自在に設けられている。第２可動部材４４１の後部には後方に延びる係合軸４４１ａが形成されている。
【００３２】
スライド移動機構４４５は、メインベース部材４０１に取り付けられる電動ソレノイド４４６と、電動ソレノイド４４６により左右に揺動されるアーム部材４４７と、メインベース部材４０１に左右にスライド移動自在に設けられたスライダ部材４４８とを有して構成される。アーム部材４４７の先端部には上下方向に延びる長穴４４７ａが形成されている。スライダ部材４４８の後面には後方に延びる係合軸４４８ａが形成され、この係合軸４４８ａがアーム部材４４７の長穴４４７ａに挿入されて係合するようになっている。スライダ部材４４８には、上下方向に延びる係合凹部４４８ｂが前後に貫通して形成されている。この係合凹部４４８ｂは、上端部が上方に開口しているとともに、上端部側が上方に向かって拡がったテーパ形状に形成されている。前述の第１可動部材４３２が上下方向の可動位置のうち、下方に位置する状況において、係合凹部４４８ｂに第２可動部材４４
１の係合軸４４１ａが挿入されて係合するようになっている。電動ソレノイド４４６によりアーム部材４４７が左右に揺動されると、スライダ部材４４８の係合軸４４８ａがアーム部材４４７の長穴４４７ａ内を移動することにより、スライダ部材４４８がメインベース部材４０１に対して左右にスライド移動する。スライダ部材４４８が左右にスライド移動すると、第２可動部材４４１の係合軸４４１ａがスライダ部材４４８の係合凹部４４８ｂ内を移動することにより、第２可動部材４４１が第１可動部材４３２に対してスライド移動するように構成されている。
【００３３】
このように第２可動部材４４１がスライド移動するときに、スライダ部材４４８の係合軸４４８ａが挿通されて係合軸４４８ａの移動をガイドするガイド穴４０２がメインベース部材４０１に前後貫通して形成され、第２可動部材４４１の係合軸４４１ａが挿通されて係合軸４４１ａの移動をガイドするガイド穴４２６が第２発光演出部４２０の第２装飾カバー４２５に前後貫通して形成されている。
【００３４】
第１電飾装置５００は、演出可動装置４００のメインベース部材４０１の前面左部に取り付けられる。第１電飾装置５００は、図１０〜図１３に示すように、略半円盤状の第１電飾ベース部材５０１と、第１電飾ベース部材５０１の下面側に設けられる第１電飾基板５１０と、第１電飾基板５１０の下面を覆うように設けられる基板カバー５２０と、基板カバー５２０の下方に配設されるインナーレンズ５３０と、インナーレンズ５３０の前後を覆って第１電飾ベース部材５０１に取り付けられる前側電飾カバー５４０および後側電飾カバー５４５とを有して構成される。
【００３５】
図１２に示すように、第１電飾基板５１０の下面には、２つの同心円状（２重環状）に合計１６個のＬＥＤ５１１ａ〜５１１ｈ（発光ダイオード）が配設されている。これらのＬＥＤ５１１ａ〜５１１ｈは、円周方向の所定角度ごとに内側および外側の２個で１組となるように配置されている。基板カバー５２０には、上記１組のＬＥＤ５１１ａ〜５１１ｈごとに対応する複数の光通過孔５２１が円形状に並んで形成されている。各ＬＥＤ５１１ａ〜５１１ｈから射出される光は各光通過孔５２１を通って下方へ射出されるようになっている。第１電飾基板５１０および基板カバー５２０の下面左右部にはそれぞれ、上下に貫通するネジ挿通孔が形成されている。それらのネジ挿通孔に下方から挿入された取付ネジ５２５を第１電飾ベース部材５０１の下面のネジ穴に螺合させることにより、基板カバー５２０が第１電飾基板５１０の下面を覆った状態で第１電飾基板５１０とともに第１電飾ベース部材５０１の下面側に固定される。基板カバー５２０および第１電飾基板５１０には、円形状に並設された複数の光通過孔５２１およびＬＥＤ５１１ａ〜５１１ｈの中央部に、インナーレンズ５３０を取り付けるための貫通孔５２３，５１３が上下に貫通して形成されている。
【００３６】
インナーレンズ５３０は、図１３に示すように、透明もしくは半透明な樹脂材料（光透過材料）を用いて上下に延びる略円柱状に形成され、その外周面は滑らかな円周面ではなく上下方向に延びる複数の矩形平面が周方向に並んだ形状になっている。インナーレンズ５３０の上面には、略円柱状に下方に凹んだ上側凹部５３１が形成されている。上側凹部５３１の内周面は、インナーレンズ５３０の外周面と同様に、上下方向に延びる複数の矩形平面が周方向に並んだ形状になっている。上側凹部５３１の底面部は、ノコギリの歯のような刻み目が円形状に並んで蛇腹状に形成されている。上側凹部５３１の底面部中央には、上方に突出した円柱状の取付凸部５３２が形成されている。
【００３７】
インナーレンズ５３０の下面には、略円錐状に上方に凹んだ下側凹部５３５が形成されている。下側凹部５３５の内周面は、複数の小さな矩形平面が周方向および上下方向に並んで形成され、さらに上下方向に並んだ平面の角度がランダムになるように形成されている。下側凹部５３５の内周面は、光を反射させる鏡面状に形成されている。インナーレン
ズ５３０は、第１電飾基板５１０のＬＥＤ５１１ａ〜５１１ｈからの光を後述するように反射させてミラーボールのようは発光態様となるようになっている。図１２に示すように、インナーレンズ５３０は、上側凹部５３１内の取付凸部５３２を基板カバー５２０および第１電飾基板５１０の貫通孔５２３，５１３に挿入し、インナーレンズ５３０の下側凹部５３５から取付凸部５３２内を上下に貫通して形成されたネジ挿通孔に下方から挿入された取付ネジ５３８を第１電飾ベース部材５０１の下面のネジ穴に螺合させることにより、基板カバー５２０を間に挟んで第１電飾基板５１０のＬＥＤ５１１ａ〜５１１ｈの下方に取り付けられる。このとき、ＬＥＤ５１１ａ〜５１１ｈがインナーレンズ５３０の上側凹部５３１内に配置され、ＬＥＤ５１１ａ〜５１１ｈの前後左右および下方が上側凹部５３１における円周状の立ち壁部によって覆われて目隠しされた状態となるようになっている。
【００３８】
前側電飾カバー５４０は、有色透明（例えば紫色等）な樹脂材料を用いて光を透過可能に形成されている。前側電飾カバー５４０は、後側電飾カバー５４５の前面側に取付ネジ５４７（図１０（ｂ）を参照）を用いて固定されて後側電飾カバー５４５の前面との間に内部空間を形成し、この内部空間内にインナーレンズ５３０が配置された状態で、後側電飾カバー５４５とともに第１電飾ベース部材５０１の下面側に取付ネジ５４８を用いて固定される。後側電飾カバー５４５の前面（内面）は、インナーレンズ５３０を囲むように曲面状に形成されるとともに、光を反射させる鏡面状に形成されている。
【００３９】
第１電飾装置５００は、副制御装置２０００（演出制御基板）から遊技展開に応じて送信される制御信号に基づいて、第１電飾基板５１０に実装されたＬＥＤ５１１ａ〜５１１ｈの点灯が制御される。ＬＥＤ５１１ａ〜５１１ｈのそれぞれから下方に射出される光は、図１４および図１５に示すように、基板カバー５２０の各光通過孔５２１を通ってインナーレンズ５３０の上側凹部５３１に入射する。そして、インナーレンズ５３０内を通って、鏡面状に形成された下側凹部５３１の内周面において反射され、当該内周面が向く方向に射出されるように構成されている。インナーレンズ５３０の後方に射出される光は、インナーレンズ５３０の後方に配置された後側電飾カバー５４５の前面（鏡面状に形成された面）において反射されて前方側に射出されるようになっている。
【００４０】
そして、第１電飾装置５００では、円形状に並設されたＬＥＤ５１１ａ〜５１１ｈを円周方向に順番に点灯させる制御が行われる。ＬＥＤ５１１ａ〜５１１ｈを円周方向に順番に点灯させると、ＬＥＤ５１１ａ〜５１１ｈのそれぞれから射出される光は上記のように射出されるため、疑似的な回転発光（パトランプのような回転発光）を遊技者に対して視認させることができるように構成されている。第１電飾装置５００では、従来のパトランプのようにインナーレンズ５３０を回転させるのではなく、円形状に並設されたＬＥＤ５１１ａ〜５１１ｈを円周方向に順次点灯させることにより、パトランプのような回転発光を行うように構成されている（遊技者には、あたかもインナーレンズ５３０が回転して発光しているように見える）。
【００４１】
ＬＥＤ５１１ａ〜５１１ｈを円周方向に順番に点灯させる制御方法については、種々のパターンが考えられる。例えば、図１２に示すＬＥＤ５１１ａ〜５１１ｈにおいて、最初にＬＥＤ５１１ａおよびＬＥＤ５１１ｂを点灯させ、次にＬＥＤ５１１ｂおよびＬＥＤ５１１ｃを点灯させ、その次にＬＥＤ５１１ｃおよびＬＥＤ５１１ｄを点灯させるように、隣り合う２組ずつのＬＥＤを点灯させるように制御してもよい。このように２組ずつ点灯させる制御を行うことにより、十分な光量の光を射出することができる。また、隣り合う２組ずつのＬＥＤを点灯させつつ、回転前方側のＬＥＤと回転後方側のＬＥＤとで異なる光量の光を射出するように制御してもよい。例えば、回転後側のＬＥＤの光量を小さくすることにより、尾を引くような疑似的な回転発光を行うことができる。また、３組以上のＬＥＤを同時に点灯させたり、全てのＬＥＤを点灯させたりする制御を行うことも可能で
ある。また、瞬間的に、１組ないし１つＬＥＤを１回または位置を変えて２回など、遊技者が注視していなければ見落とすくらいに、さりげなく点灯させる制御を行うことも可能である。第１電飾装置５００では、これら以外にも種々の点灯制御を行って、種々のパターンの発光を行うことが可能である。
【００４２】
このように第１電飾装置５００では、円形状に並設されたＬＥＤ５１１ａ〜５１１ｈを円周方向に順番に点灯させ、ＬＥＤ５１１ａ〜５１１ｈのそれぞれから射出された光をインナーレンズ５３０により前方に反射させることにより、パトランプのような回転発光を遊技者に対して視認させることができるようになっている。従って、従来のパトランプ型の電飾装置のように、反射鏡を回転させるための電動モータや、回転位置を制御するための位置センサ等が不要であるため、従来のパトランプ型の電飾装置よりも、装置を小型化させることができる。また、第１電飾装置５００では、ＬＥＤ５１１ａ〜５１１ｈの点灯制御パターンを変更することにより、単純な回転発光態様以外の発光演出をすることもできる。
【００４３】
第２電飾装置６００は、図１６および図１７に示すように、左右方向に延びた略平板状の第２電飾ベース部材６０１と、第２電飾ベース部材６０１の後面側に設けられる第２電飾基板６１０と、第２電飾ベース部材６０１の前面側に設けられるレンズ部材６２０と、レンズ部材６２０の前面側に設けられるカバー部材６３０とを有して構成される。カバー部材６３０の前面には、ハート形と星形の合計４個の装飾穴６３１ａ〜６３１ｄが前後に貫通して形成され、装飾穴６３１ａ〜６３１ｄ以外にも所定の装飾が施されている。
【００４４】
レンズ部材６２０は、透明もしくは半透明な樹脂材料（光透過材料）を用いて形成されている。レンズ部材６２０の前面には、カバー部材６３０の装飾穴６３１ａ〜６３１ｄに対応した位置および形状（ハート形と星形）の４個の装飾レンズ部６２１ａ〜６２１ｄが前方に突出して形成されている。装飾レンズ部６２１ａ〜６２１ｄの前面および後面（内面）にはそれぞれ、透過光を上下左右方向に拡散させるための小さな凹凸が複数形成されている。レンズ部材６２０の後面下端部には、後方に突出する壁部６２２が左右に延びて形成され、この壁部６２２の上面にも透過光を左右方向に拡散させるための小さな凹凸が複数形成（ローレット加工）されている。
【００４５】
第２電飾ベース部材６０１には、レンズ部材６２０の装飾レンズ部６２１ａ〜６２１ｄに対応した位置および形状（ハート形と星形）の４個の光通過孔６０２ａ〜６０２ｄが前後に貫通して形成されている。第２電飾ベース部材６０１は、光通過孔６０２ａ〜６０２ｄをそれぞれレンズ部材６２０の装飾レンズ部６２１ａ〜６２１ｄに位置整合した状態で、レンズ部材６２０の後面に取付ネジ６０８を用いて固定される。
【００４６】
第２電飾基板６１０の前面には、レンズ部材６２０の装飾レンズ部６２１ａ〜６２１ｄに対応した位置にそれぞれ、前方に光を射出することが可能な４個の第１ＬＥＤ６１１ａ〜６１１ｄ（発光ダイオード）が実装されている。第１ＬＥＤ６１１ａ〜６１１ｄは、第２電飾基板６１０の実装面（前面）に直交する方向（前後方向）に光を射出するトップビューＬＥＤである。第２電飾基板６１０の後面左部には、上方（もしくは斜め上方）に光を射出することが可能な３個の第２ＬＥＤ６１２ａ〜６１２ｃ（発光ダイオード）が実装されている。第２電飾基板６１０の後面右部には、斜め下方（もしくは下方）に光を射出可能な４個の第３ＬＥＤ６１３ａ〜６１３ｄ（発光ダイオード）が実装されている。第２ＬＥＤ６１２ａ〜６１２ｃおよび第３ＬＥＤ６１３ａ〜６１３ｄは、第２電飾基板６１０の実装面（後面）に沿った方向に光を射出するサイドビューＬＥＤである。第２電飾基板６１０は、第２電飾ベース部材６０１の後面側に配置されて第１ＬＥＤ６１１ａ〜６１１ｄがそれぞれ第２電飾ベース部材６０１の光通過孔６０２ａ〜６０２ｄ内に配置された状態で、第２電飾ベース部材６０１およびレンズ部材６２０とともにカバー部材６３０の後
面側に取付ネジ６１８を用いて固定される。このとき、レンズ部材６２０の装飾レンズ部６２１ａ〜６２１ｄがそれぞれ、カバー部材６３０の装飾穴６３１ａ〜６３１ｄ内に挿入された状態となる。
【００４７】
このように構成された第２電飾装置６００は、第２ＬＥＤ６１２ａ〜６１２ｃおよび第３ＬＥＤ６１３ａ〜６１３ｄが実装された第２電飾基板６１０の後面が遊技盤１００（ベース部材１０１）の前面よりも前方の位置に配置されて（図１５を参照）、センター飾りユニット２００の上部（フレーム部材２０１の内側）に設けられている。そして、副制御装置２０００（演出制御基板）から遊技展開に応じて送信される制御信号に基づいて、第２電飾基板６１０に実装された第１ＬＥＤ６１１ａ〜６１１ｄ、第２ＬＥＤ６１２ａ〜６１２ｃおよび第３ＬＥＤ６１３ａ〜６１３ｄの発光が制御される。第２電飾基板６１０の前面に実装された第１ＬＥＤ６１１ａ〜６１１ｄのそれぞれから前方に射出される光は、第２電飾ベース部材６０１の光通過孔６０２ａ〜６０２ｄをそれぞれ通って、レンズ部材６２０の装飾レンズ部６２１ａ〜６２１ｄにそれぞれ入射する。そして、装飾レンズ部６２１ａ〜６２１ｄの前後面に形成された凹凸により上下左右方向に拡散されて透過することにより、装飾レンズ部６２１ａ〜６２１ｄを発光表示させるように構成されている。
【００４８】
第２電飾基板６１０の後面に実装された第２ＬＥＤ６１２ａ〜６１２ｃのそれぞれから上方（もしくは斜め上方）に射出される光は、図４、図１４および図１５に示すように、センター飾りユニット２００の透明なフレーム部材２０１を透過して、第２電飾装置６００の上方に配置される遊技盤１００の遊技領域ＰＡを照明するように構成されている。また、第２電飾基板６１０の後面に実装された第３ＬＥＤ６１３ａ〜６１３ｄのそれぞれから斜め下方に射出される光は、レンズ部材６２０の壁部６２２を介して拡散され、第２電飾装置６００の斜め下方に配置される演出可動装置４００を照明するように構成されている。
【００４９】
このように第２電飾装置６００では、第２電飾基板６１０の後面に実装された第２ＬＥＤ６１２ａ〜６１２ｃから射出される光により、第２電飾装置６００の近傍に配置される遊技盤１００の遊技領域ＰＡを照明するようになっている。そのため、例えば、センター飾りユニットが複数の遊技演出装置を備えて、これらの装置の陰になって遊技領域ＰＡが暗くなる場合や、遊技盤がベニヤ板を用いて形成されて遊技盤の後方から照明できない場合などであっても、第２電飾装置６００により遊技領域ＰＡを明るく照明することができる。また、第２電飾装置６００では、第２電飾基板６１０の後面に実装された第３ＬＥＤ６１３ａ〜６１３ｄから射出される光により、第２電飾装置６００の近傍に配置される演出可動装置４００も明るく照明することができる。第２ＬＥＤ６１２ａ〜６１２ｃは、遊技領域の視認性のための照明であり、図柄の変動に基づく演出に使用しない方が好ましく、また、遊技の進行中（例えば図柄表示装置２１０における図柄変動中）だけでなく、客待ちデモ状態においても点灯されるか、遊技者のハンドル操作に基づいて点灯されることが好ましい。また、遊技状態においてセンター飾りユニット２００の左側でなく右側を主とする遊技状態である時には、遊技領域ＰＡの左上の照明である第２ＬＥＤ６１２ａ〜６１２ｃは、減灯ないし光量を下げる制御を行ってもよい。
【００５０】
上述の実施形態において、第１電飾装置５００の第１電飾基板５１０では、２つの同心円状（２重環状）にＬＥＤ５１１ａ〜５１１ｈが設けられているが、これらのＬＥＤは、１つの円形状（環状）もしくは３つ以上の同心円状（３重以上の環状）に設けられてもよい。また、第１電飾装置５００のインナーレンズ５３０は、図１８に示すインナーレンズ５３０′および図１９に示すインナーレンズ５３０″のように、上側凹部５３１を有していなくてもよく、また下側凹部５３５の円錐面の形状も回転発光態様に応じて適宜変更してもよい。
【００５１】
上述の実施形態において、本発明が適用される遊技機の一例として、ぱちんこ遊技機を例示して説明したが、これに限定されるものではなく、例えば、スロットマシン、アレンジボール、雀球遊技機などについても同様に適用し、同様の効果を得ることができる。
【符号の説明】
【００５２】
ＰＭ  ぱちんこ遊技機（遊技機）
ＰＡ  遊技領域
１００  遊技盤
２００  センター飾りユニット
５００  第１電飾装置（電飾装置）
５１１ａ〜５１１ｈ  ＬＥＤ（発光素子）
５３０  インナーレンズ（反射部材）
【図１】
2018050998.tif 000003
【図２】
2018050998.tif 000004
【図３】
2018050998.tif 000005
【図４】
2018050998.tif 000006
【図５】
2018050998.tif 000007
【図６】
2018050998.tif 000008
【図７】
2018050998.tif 000009
【図８】
2018050998.tif 000010
【図９】
2018050998.tif 000011
【図１０】
2018050998.tif 000012
【図１１】
2018050998.tif 000013
【図１２】
2018050998.tif 000014
【図１３】
2018050998.tif 000015
【図１４】
2018050998.tif 000016
【図１５】
2018050998.tif 000017
【図１６】
2018050998.tif 000018
【図１７】
2018050998.tif 000019
【図１８】
2018050998.tif 000020
【図１９】
2018050998.tif 000021